(57)【特許請求の範囲】
【請求項１】
集合住宅の管理人室に設置されている管理人室親機と、上記管理人室親機との間で音声信号線を介して接続されている住宅情報盤と；
上記管理人室親機が送信した音声信号を音声認識し、この音声認識した結果を、テキストデータで出力する音声認識手段と；
複数のキーワードを記憶する言語データベースと；
上記音声認識部が出力したテキストデータ中の単語と、上記言語データベースに記憶されている上記キーワードとを比較する比較手段と；
上記比較手段が比較した結果、上記音声認識部が出力したテキストデータ中の単語と、上記言語データベースに記憶されている上記キーワードとが一致すると、一致したキーワードを、上記言語データベースから抽出する抽出手段と；
上記音声認識手段が出力したテキストデータと、上記抽出手段が抽出したキーワードとを、同時に表示するとともに、上記キーワードを上記テキストデータとは別個に表示する表示手段と；
を有することを特徴とするインターホンシステムにおける住宅情報盤。
【請求項２】
請求項１において、
上記音声認識手段が出力したテキストデータを記憶する記憶手段と；
上記記憶手段に上記テキストデータが記憶されている場合、上記表示手段を点滅させる点滅制御手段と；
を有することを特徴とするインターホンシステムにおける住宅情報盤。
【請求項３】
集合住宅の管理人室に設置されている管理人室親機と、上記管理人室親機との間で音声信号線を介して接続されている住宅情報盤と；
他の機器から送信された音声信号を音声認識し、この音声認識した結果を、テキストデータで出力する音声認識手段と；
複数のキーワードを記憶する言語データベースと；
上記音声認識部が出力したテキストデータ中の単語と、上記言語データベースに記憶されている上記キーワードとを比較する比較手段と；
上記比較手段が比較した結果、上記音声認識部が出力したテキストデータ中の単語と、上記言語データベースに記憶されている上記キーワードとが一致すると、一致したキーワードを、上記言語データベースから抽出する抽出手段と；
上記音声認識手段が出力したテキストデータと、上記抽出手段が抽出したキーワードとを、同時に表示するとともに、上記キーワードを上記テキストデータとは別個に表示する表示手段と；
を有することを特徴とするインターホンシステムにおける住宅情報盤。
【請求項４】
請求項３において、
上記音声認識手段が出力したテキストデータを記憶する記憶手段と；
上記記憶手段に上記テキストデータが記憶されている場合、上記表示手段を点滅させる点滅制御手段と；
を有することを特徴とするインターホンシステムにおける住宅情報盤。
【発明の詳細な説明】
【技術分野】
【０００１】
本発明は、インターホンシステムに関する。
【背景技術】
【０００２】
従来の集合住宅には、集合住宅用インターホンシステムが設けられている。このインターホンシステムは、管理人室に設置されている警報監視盤と、各住戸にそれぞれ設置されている住宅情報盤とを備え、警報監視盤と住宅情報盤とが、伝送線路と通話線とを介して接続されている（たとえば、特許文献１参照）。
【０００３】
この警報監視盤は、放送機能を備え、たとえば集合住宅の共有部分に関して工事が行われる場合等に、管理人が、管理人室から各住戸の居住者へ向けて、その工事を行う旨を、一斉放送によって伝える。放送時に、居住者は、住宅情報盤のスピーカから、音声によってその放送内容を知ることができる。
【特許文献１】特開２００６−２２２８８７号公報
【発明の開示】
【発明が解決しようとする課題】
【０００４】
しかし、上記従来の住宅情報盤は、一斉放送の内容を、スピーカからの音声でのみ伝えるので、居住者が聴覚障害者である場合等には、その居住者が一斉放送の内容を聞くことができず、その内容を知ることができないという問題がある。
【０００５】
本発明は、居住者が聴覚障害者である場合でも、その居住者が一斉放送の内容を知ることができるインターホンシステムにおける住宅情報盤及びインターホンシステムを提供することを目的とする。
【課題を解決するための手段】
【０００６】
本発明は、集合住宅の管理人室に設置されている管理人室親機と、上記管理人室親機との間で音声信号線を介して接続されている住宅情報盤と、上記管理人室親機が送信した音声信号を音声認識し、この音声認識した結果を、テキストデータで出力する音声認識手段と、複数のキーワードを記憶する言語データベースと、上記音声認識部が出力したテキストデータ中の単語と、上記言語データベースに記憶されている上記キーワードとを比較する比較手段と、上記比較手段が比較した結果、上記音声認識部が出力したテキストデータ中の単語と、上記言語データベースに記憶されている上記キーワードとが一致すると、一致したキーワードを、上記言語データベースから抽出する抽出手段と、上記音声認識手段が出力したテキストデータと、上記抽出手段が抽出したキーワードとを、同時に表示するとともに、上記キーワードを上記テキストデータとは別個に表示する表示手段とを有することを特徴とするインターホンシステムにおける住宅情報盤である。
【発明の効果】
【０００７】
本発明によれば、居住者が聴覚障害者等、耳が不自由な人である場合でも、その居住者が一斉放送の内容を知ることができるという効果を奏する。
【発明を実施するための最良の形態】
【０００８】
発明を実施するための最良の形態は、以下の実施例である。
【実施例１】
【０００９】
図１は、本発明の実施例１であるインターホンシステム１００の概略を示すブロック図である。
【００１０】
インターホンシステム１００は、管理人室親機３０が送信した音声信号を音声認識し、この音声認識した結果を、テキストデータで出力し、この出力したテキストデータを表示する装置である。
【００１１】
インターホンシステム１００は、集合玄関に設けられている集合玄関機１０と、住戸内に設けられている住宅情報盤ＪＢと、住宅情報盤ＪＢと集合玄関機１０との間におけるインターホン通話を制御する制御装置２０と、管理人室親機３０とを有する。なお、管理人室親機３０は、住宅情報盤ＪＢ１０１、…、３０３、…と基本的には同様な機能を有し、制御装置２０に接続されている。なお、管理人室親機３０に放送釦３１が設けられている。
【００１２】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１３】
以後、住宅情報盤ＪＢ１０１、…、ＪＢ３０３、…の総称として、住宅情報盤ＪＢの表記を使用する。また、玄関子機Ｃ１０１、…、Ｃ３０３、…の総称として、玄関子機Ｃの表記を使用する。
【００１４】
図２は、インターホンシステム１００における住宅情報盤ＪＢの外観を示す斜視図である。
【００１５】
住宅情報盤ＪＢの表面には、操作部ＯＰと、通話釦Ｂ７と、表示手段としての表示部ＤＰと、注意灯ランプＬＡ１とが設けられている。
【００１６】
操作部ＯＰには、メニュー釦Ｂ１と、上移動釦Ｂ２と、下移動ボタンＢ３と、決定釦Ｂ４と、火災釦Ｂ５と、復旧ボタンＢ６とが設けられている。
【００１７】
図３は、インターホンシステム１００において、主に、住宅情報盤ＪＢを具体的に示すブロック図である。
【００１８】
住宅情報盤ＪＢは、操作部ＯＰと、制御部４１と、呼出検出回路４２と、通話部４３と、マイクロホン４４と、スピーカ４５と、通話・放送切換スイッチＳＷ１と、通話切換スイッチＳＷ２と、制御信号送受信部５１と、報知音生成部５２と、音量補正部５３とを有する。
【００１９】
また、住宅情報盤ＪＢは、音声認識部６１と、記憶部６２と、表示部ＤＰとを有する。
【００２０】
制御部４１は、住宅情報盤ＪＢの全体を制御する。
【００２１】
呼出検出回路４２は、玄関子機（ドアホン）Ｃの釦（図示せず）が操作されたことを検出し、この釦が操作されると、制御部４１を介して、通話切換スイッチＳＷ２が、端子ａに切り換えられる。なお、通話切換スイッチＳＷ２は、通常、端子ａとは異なる端子ｂに切り換えられている。
【００２２】
通話部４３は、マイクロホン４４、スピーカ４５に接続され、玄関子機Ｃや集合玄関機１０と通話する手段である。
【００２３】
通話・放送切換スイッチＳＷ１は、集合玄関機１０からの呼び出しがあり、操作部ＯＰの通話釦Ｂ７が操作されると、端子ａに切り換えられ、集合玄関機１０とのインターホン通話が終了すると、端子ｂに切り換えられるスイッチである。
【００２４】
通話切換スイッチＳＷ２は、玄関子機Ｃの釦が押され、操作部ＯＰの通話釦Ｂ７が操作されると、端子ａに切り換えられ、玄関子機Ｃとによるインターホン通話が終了すると、端子ｂに切り換えられるスイッチである。なお、通話切換スイッチＳＷ２は、通常、端子ａとは異なる端子ｂに切り換えられている。
【００２５】
制御信号送受信部５１は、管理人室親機３０からの放送開始信号を受信し、放送開始信号を受信すると、その旨を制御部４１に知らせる。
【００２６】
報知音生成部５２は、玄関子機Ｃの釦が押されたときに、「ピンポン」等の報知音を生成する。報知音生成部５２は、玄関子機Ｃの呼び出し釦が押されたときにのみ、「ピンポン」を鳴らす。
【００２７】
音量補正部５３は、管理人室親機３０から受信した一斉放送の音声信号の音量を補正する。
【００２８】
音声認識部６１は、管理人室親機３０が送信した音声信号を音声認識し、この音声認識した結果を、テキストデータで出力する。
【００２９】
記憶部６２は、音声認識部６１が出力したテキストデータを記憶する。
【００３０】
また、制御部４１は、記憶部６２にテキストデータが記憶されている場合、表示部ＤＰを点滅させる手段である。
【００３１】
表示部ＤＰは、音声認識部６１が出力したテキストデータを表示する表示手段の例である。
【００３２】
次に、インターホンシステム１００の動作について説明する。
【００３３】
管理人室親機３０の放送釦３１を、管理人が押すと、放送開始信号が、制御信号線Ｌｃに出力され、全住戸の各情報住宅盤ＪＢへ向けて一斉放送が行われる。
【００３４】
このときに、各住戸の住宅情報盤ＪＢでは、通話・放送切換スイッチＳＷ１が、端子ｂに切り換わり、音量補正部５３が音量を補正し、スピーカ４５から、一斉放送の内容が放送される。
【００３５】
図４は、実施例１における表示部ＤＰの表示例を示す図であり、訪問者が表示される表示部ＤＰ１とは別に新たに表示部ＤＰ２を設けて、その表示部ＤＰ２に、テキストデータの内容を表示している図である。
【００３６】
スピーカ４５から放送されると同時に、その一斉放送に関する音声信号が、音声信号線Ｌａを介して、音声認識部６１に入力され、入力された音声信号を、音声認識部６１がテキストデータに変換し、この変換されたテキストデータが、表示部ＤＰ２に文字表示される。
【００３７】
このように、住宅情報盤ＪＢの表示部ＤＰ２に放送内容が表示されるので、住戸の居住者が聴覚障害者、または耳の遠い高齢者等であっても、一斉放送の内容を確実に知ることができる。
【００３８】
また、実施例１において、変換されたテキストデータが記憶部６２に保存され、この保存されているテキストデータを、操作部ＯＰを操作することによって、表示部ＤＰ２に表示させるようにしてもよい。このようにすれば、居住者が外出中であっても、帰宅時に、操作部ＯＰを操作すれば、保存されている放送内容を読み出し、表示部ＤＰ２に表示されるので、留守中に行われた放送内容を読むことができる。
【００３９】
また、上記実施例において、玄関子機Ｃまたは集合玄関機１０で訪問者が話した内容を、音声認識部６１がテキストデータに変換し、この変換されたテキストデータを、表示部ＤＰ２に、文字表示するようにしてもよい。このようにし、訪問者が、管理人室親機３０以外の玄関子機Ｃまたは集合玄関機１０等の他の機器から、自己の氏名、訪問の用件を話せば、この内容に対応するテキストデータが、記憶部６２に記憶され、住居人が帰宅したときに、記憶部６２に記憶されているテキストデータを表示部ＤＰ２にすれば、訪問者が誰であり、何の用件で訪問したかを後で知ることができる。
【００４０】
なお、管理人室親機３０から、音声信号を送るのではなく、テキストデータを送り、このテキストデータを表示部ＤＰ２で表示するようにしてもよい。
【実施例２】
【００４１】
インターホンシステム２００は、インターホンシステム１００において、記憶部６２にテキストデータを記憶し、放送を受信すると、表示部ＤＰ２を点滅させることによって、メッセージの存在に気がつき易くする装置である。
【００４２】
インターホンシステム２００は、基本的には、インターホンシステム１００と同じである。インターホンシステム１００の住宅情報盤ＪＢにおいて、制御部４１の代わりに、制御部４１ａが設けられている。
【００４３】
記憶部６２は、音声認識手段が出力したテキストデータを記憶する記憶手段の例である。
【００４４】
制御部４１ａは、記憶部６２にテキストデータが記憶されている場合、表示部ＤＰ２を点滅させる点滅制御手段の例である。
【００４５】
このようにすれば、放送を受信すると、表示部ＤＰ２が点滅するので、放送内容（メッセージ）の存在に、居住者が気がつき易い。
【００４６】
なお、記憶部６２に記憶されているテキストデータを、操作部ＯＰを操作することによって、消去するようにしてもよい。
【実施例３】
【００４７】
図５は、本発明の実施例で３あるインターホンシステム３００の内部構成を示すブロック図である。
【００４８】
インターホンシステム３００は、テキストデータと、言語データベースに記憶されているキーワードとが一致すると、一致したキーワードを表示する実施例である。
【００４９】
インターホンシステム３００は、インターホンシステム１００において、住宅情報盤ＪＢの代わりに、住宅情報盤ＪＢｂが設けられている。住宅情報盤ＪＢｂは、住宅情報盤ＪＢにおいて、制御部４１の代わりに制御部４１ｂが設けられ、比較部６３と、抽出部６４と、言語データベース６５とが設けられている。
【００５０】
比較部６３は、音声認識部６１が出力したテキストデータ中の単語と、言語データベース６５に記憶されているキーワードとを比較する手段である。
【００５１】
抽出部６４は、比較部６３が比較した結果、音声認識部６１が出力したテキストデータ中の単語と、言語データベース６５に記憶されているキーワードとが一致すると、一致したキーワードを、言語データベース６５から抽出する手段である。
【００５２】
言語データベース６５は、複数のキーワードを記憶するデータベースであり、よく利用される可能性がある単語を予め格納しておく。たとえば、「９時」、「１４時」等の時刻や、「点検」、「工事、」「集会」、「お知らせ」、「エレベータ」、「共用部」等放送時に使用される頻度が高い言葉を、キーワードとして言語データベース６５に格納する。
【００５３】
制御部４１ｂは、抽出部６４が抽出したキーワードを、表示部ＤＰ２に表示させる表示制御手段の例である。
【００５４】
次に、実施例３の動作について説明する。
【００５５】
放送内容がテキストデータに変換された後に、この変換されたテキストデータが、記憶部６２に記憶される。記憶されたテキストデータは、そのまま表示部に表示されると共に、比較部６３によって、住宅情報盤ＪＢｂに備えられている言語データベース６５内のキーワードと比較される。
【００５６】
図６は、実施例３において、テキストデータと、抽出されたキーワードとを、表示ＤＰ２に表示している例を示す図である。
【００５７】
なお、操作部ＯＰを操作することによって、訪問者を表示する場合、表示部ＤＰ２に、テキストデータを表示せずに、キーワードのみを表示するようにしてもよい。
【００５８】
実施例３によれば、一致したキーワードを言語データベースから抽出し、そのキーワードを表示部ＤＰ２に表示させる。その結果、重要なキーワードが表示部ＤＰ２に表示されるので、表示部ＤＰ２を見た居住者は、放送内容を手早く把握することができる。
【００５９】
なお、上記実施例では、訪問者が表示される表示部ＤＰ１と、テキストデータやキーワードが表示される表示部ＤＰ２とを分けている。しかし、表示部ＤＰ１に、テキストデータやキーワードを表示するようにしてもよい。
【図面の簡単な説明】
【００６０】
【図１】本発明の実施例１であるインターホンシステム１００の概略を示すブロック図である。
【図２】インターホンシステム１００における住宅情報盤ＪＢの外観を示す斜視図である。
【図３】インターホンシステム１００において、主に、住宅情報盤ＪＢを具体的に示すブロック図である。
【図４】実施例１における表示部ＤＰの表示例を示す図であり、訪問者が表示される表示部ＤＰ１とは別に新たに表示部ＤＰ２を設けて、その表示部ＤＰ２に、テキストデータの内容を表示している図である。
【図５】本発明の実施例で３あるインターホンシステム３００の内部構成を示すブロック図である。
【図６】実施例３において、テキストデータと、抽出されたキーワードとを、表示部ＤＰに表示している例を示す図である。
【符号の説明】
【００６１】
１００…インターホンシステム、
３０…管理人室親機、
ＪＢ…住宅情報盤、
ＯＰ…操作部、
４１…制御部、
６１…音声認識部、
６２…記憶部、
６３…比較部、
６４…抽出部、
６５…言語データベース、
３００…インターホンシステム、
４１ｂ…制御部。
【図１】
0005124331.tif 000002
【図２】
0005124331.tif 000003
【図３】
0005124331.tif 000004
【図４】
0005124331.tif 000005
【図５】
0005124331.tif 000006
【図６】
0005124331.tif 000007